(57)【要約】【課題】基礎に可搬式堤防を設置するにあたり、基礎に設けた穴部に支柱を簡易な操作で直立させるとともに、穴部に支柱を差し込んだ部分の止水性をより高めて、この部分からの漏水を確実に防止する。【解決手段】可搬式堤防１の壁面パネル５を支持する支柱４の、穴部３に差し込まれる下部領域に帯状の弾性材４４を固着し、それよりも上側の支柱４の外側面に、穴部３周辺の基礎２上面に係合するストッパー片４３，４３を設けるとともに、支柱４の外周に鍔状弾性材６を嵌め込み、これをストッパー片４３，４３の下面に重ねて支柱４を構成する。【選択図】図２
2016023427.tif 000002
【特許請求の範囲】
【請求項１】
基礎の上面に複数形成された穴部に支柱を差し込んで基礎上に支柱を立て並べ、支柱の側部に設けられた凹溝に壁面パネルの側端部を嵌め込んで、支柱の間に壁面パネルを取り付けることにより止水壁を形成する可搬式堤防の前記支柱において、
前記穴部に差し込まれる支柱の下部領域であって支柱が穴部に差し込まれた状態で穴部の上端に面する支柱の表面に沿って、穴部内面と支柱表面との隙間を塞ぐための弾性材が固着され、
この弾性材が固着された位置よりも上側の支柱の外側面に、穴部周辺の基礎上面に係合するストッパー片が設けられているとともに、支柱の外周に鍔状の弾性材が嵌め込まれ、当該鍔状弾性材が前記ストッパー片の下面に重ねて設けられた構成を有することを特徴とする可搬式堤防用の支柱。
【請求項２】
鍔状弾性材は、合成ゴムを主材とする発泡弾性ゴム材であることを特徴とする請求項１に記載の可搬式堤防用の支柱。
【請求項３】
鍔状弾性材は、心材が合成樹脂製のシート又は不織布であり、表裏層が合成ゴムを主材とする発泡弾性ゴム材であることを特徴とする請求項１又は２に記載の可搬式堤防用の支柱。
【請求項４】
支柱が穴部に差し込まれた状態で穴部の上端に面する支柱の表面全周に弾性材が固着された構成を有する請求項１〜３の何れかに記載の可搬式堤防用の支柱。
【請求項５】
支柱は、複数の断面略コ字形の鋼製枠材を互いに長手方向を平行に揃えて接合し且つ接合部分を溶接により一体に固定するとともに、穴部に差し込まれた状態で基礎の上面に面する位置から下側の枠材の内側部分に合成樹脂材が充填された構成を有する請求項１〜４の何れかに記載の可搬式堤防用の支柱。
【請求項６】
基礎の上面に形成された穴部に着脱自在な請求項１〜５の何れかに記載の複数の支柱と、基礎上に立て並べた支柱の間で支持される壁面パネルとを具備した構成を有する可搬式堤防。
【発明の詳細な説明】
【技術分野】
【０００１】
本発明は、大雨に伴う河川の洪水により越水の危険性が高い堤防や、下水道からの溢水などで浸水の虞のある都市部の建物や地下の出入口などに設置して止水壁を構成する可搬式堤防に係り、止水性能を高める改良が施された可搬式堤防の支柱の構造に関する。
【背景技術】
【０００２】
従来の可搬式堤防として、例えば図９に示されるように、河川敷などの平坦な基礎１０１の上面に所定の間隔を開けて複数の差込用の穴部１０２を設けておき、大雨により河川からの越水が予想されるときに、穴部１０２に支柱１０３を差し込んで立て並べ、壁面パネル１０４を支柱１０３，１０３の間に嵌め込んで支持させることにより、緊急用の止水壁を基礎１０１上に形成する構成のものが知られている（例えば特許文献１，２参照）。
【０００３】
また、図１０に示されるように、穴部１０２に差し込んだ部分からの水漏れの防止を図った支柱１０３として、穴部１０２に差し込まれる支柱１０３の下側部分にストッパー片１０５を設けるとともに、その下側の支柱１０３の表面部分に帯状の弾性材１０６を固着し、穴部１０２の内面と支柱１０３の表面との隙間が弾性材１０６で塞がれるようにした構成のものが知られている（例えば特許文献３参照）。
【先行技術文献】
【特許文献】
【０００４】
【特許文献１】実用新案登録第３１６６８２２号公報
【特許文献２】特許第４８９８９７３号公報
【特許文献３】特許第５５１４９４３号公報
【発明の開示】
【発明が解決しようとする課題】
【０００５】
前記図１０に示されたストッパー片１０５の下側に弾性材１０６を固着した支柱１０３によれば、穴部１０２への支柱１０３の差し込み操作が容易であり、差し込んだ状態で、支柱１０３に固着した弾性材１０６が、支柱１０３の表面と穴部１０２の内面とに密着して隙間を塞いで、穴部１０２に支柱１０３を差し込んだ部分の止水性を高めることが可能である。
【０００６】
然し乍ら、可搬式堤防のような屋外に着脱自在に構築される設備にあっては、前記弾性材１０６が固着された支柱１０３を用いたとしても、穴部１０２に支柱１０３を差し込んだ部分からの漏水を完全になくすことは非常に困難である。
例えば、可搬式堤防は天候が急変したときに短時間で緊急に設置されるが、設置の際に、基礎１０１の上面に砂利や土が堆積していて穴部１０２の周辺が凸凹していると、支柱１０３を穴部１０２に差し込んだときにストッパー片１０５と穴部１０２の上端との間に僅かな隙間ができて、漏水の原因となることがある。
また、可搬式堤防の設置後、河川の水嵩が増して壁面パネル１０４に大きな水圧がかかった場合に、壁面パネル１０４を支持する支柱１０３の穴部１０２との接続部分に水圧による荷重が集中して、穴部１０２内で支柱１０３が外側へ偏り、弾性材１０６により塞がれた支柱１０３の表面と穴１０２の内面との間の部分、とりわけ穴部１０２の隅角部分にスポット的に孔が空き、そこから僅かな量の水が漏れ出ることがある。
【０００７】
前述のような僅かな量の漏水は、可搬式堤防の全体の止水性能を低下させるものではなく、また、降雨時に河川に沿って設置するなどの屋外における設置態様では気にはならない。また、可搬式堤防を都市部の居住区に設置する場合は、河川に沿って設置する場合に比べて壁面パネル１０４にかかる水圧は極めて小さく、前述のような漏水が発生する可能性は極めて低い。
しかし、都市部の例えば地盤が低い居住区の道路に面した倉庫や車庫に沿って可搬式堤防を設置するような態様では、僅かな量の漏水であっても、それにより屋内の躯体面が濡れるため漏水が極めて目立ち、使用者に不安感を与えてしまうことになる。大雨による浸水防止策として、本来的には可搬式堤防の設置だけで十分であるものの、前記僅かな量の漏水があることの不安から、使用者が土嚢を可搬式堤防に沿って積み上げるなどの必要以上の無駄な止水対策を講じることを誘発しかねない。
【０００８】
本発明は従来技術の有するこのような問題点に鑑み、基礎に可搬式堤防を設置するにあたり、基礎に設けた穴部に支柱を簡易な操作で確実且つ迅速に差し込んで立て並べることができるという設置性能を低下させることなく、穴部に支柱を差し込んだ部分の止水性をより高めて、この部分からの漏水を確実に防止することを課題とする。
【課題を解決するための手段】
【０００９】
前記課題を解決するため本発明は、基礎の上面に複数形成された穴部に支柱を差し込んで基礎上に支柱を立て並べ、支柱の側部に設けられた凹溝に壁面パネルの側端部を嵌め込んで、支柱の間に壁面パネルを取り付けることにより止水壁を形成する可搬式堤防の前記支柱において、
前記穴部に差し込まれる支柱の下部領域であって支柱が穴部に差し込まれた状態で穴部の上端に面する支柱の表面に沿って、穴部内面と支柱表面との隙間を塞ぐための弾性材が固着され、
この弾性材が固着された位置よりも上側の支柱の外側面に、穴部周辺の基礎上面に係合するストッパー片が設けられているとともに、支柱の外周に鍔状の弾性材が嵌め込まれ、当該鍔状弾性材が前記ストッパー片の下面に重ねて設けられた構成を有することを特徴とする。
【００１０】
これによれば、支柱を穴部に差し込んで支柱の下部領域を穴部に差し込み、穴部の上端にストッパー片が係合することにより、基礎の上面に支柱を安定的に立たせることができる。
支柱を穴部に差し込んだ状態で、支柱の下部領域の表面に固着した弾性材が、自身の弾性により支柱の表面と穴部の内面との間に圧入するため、支柱の表面と穴部の内面とに密着する弾性材によって、穴部上端における穴部内面と支柱表面との間の隙間が塞がれ、この隙間を通って水が漏れ出ることを効果的に防止することができる。
前記弾性材は、穴部に支柱を差し込んだときに、穴部の内面と支柱の表面の間の隙間が塞ぐ大きさに設けることで、穴部を、支柱の差し込み操作に支障が生じない程度の大きさ、つまり、穴部の内形寸法を支柱の外形寸法に対して若干大きめに設定して形成することができ、これにより穴部への支柱の差し込み操作の容易性が担保され、可搬式堤防を設置する際の作業性を良好にすることができる。
【００１１】
また、ストッパー片の下側に鍔状の弾性材が支柱の外周面に嵌め込まれ、この鍔状弾性材をストッパー片の下面に重ねて設置してあるので、支柱を穴部に差し込むと、ストッパー片が穴部上端に係合するのに伴って鍔状弾性材が穴部の上端周辺に接合し、併せてストッパー片の下面と支柱間に架設される壁面パネルの下端部で鍔状弾性材が下方へ押圧されて圧縮し、穴部上端における支柱の表面と穴部の内面との隙間に密着して嵌り込むことで支柱と穴部の接続部位の隙間が密閉され、当該接続部位の止水性がより高まる。
鍔状弾性材は、自身の弾性により穴部上端の周辺形状に沿って変形して接合するため、穴部が開けられた基礎の上面が凸凹していたり小石などが挟まっていたりしても穴部の上端周辺に密着して接合し、また、支柱の穴部との接続部位に水圧による荷重が集中して穴部内で支柱の位置が偏っても、支柱の偏りに追随して鍔状弾性材が変形して支柱の表面と穴部の内面との隙間に密着して嵌り込んだ状態が維持され、支柱と穴部の接続部位に隙間ができ、そこから水漏れが生じることはない。
【００１２】
前記構成の支柱において、鍔状弾性材の素材としては、耐候性が良好で、容易に圧縮及び伸縮して隙間や粗面に密着して高い水密性を発揮する材料のもの、例えばエチレンプロピレンジエンゴムやブチルゴムなどの合成樹脂製のゴムや天然ゴム、これらを主成分として独立気泡、半独立気泡から連続気泡で発泡させた発泡材、或いは不織布などを用いることができる。これらの材料であれば、穴が形成される基礎の上面の凸凹にもぴったりと密着して接合し、良好な水密性を得ることができる。鍔状弾性材を市販の材料を加工して形成する場合、エチレンプロピレンジエンゴムを主成分とした半独立半連続気泡の発泡成形品である「エプトシーラー」（登録商標；日東電工株式会社製）の利用が好適である。
また、鍔状弾性材として、例えば心材を合成樹脂製のシート又は不織布、心材の表裏層を合成ゴムを主材とする発泡弾性ゴム材とした積層構造のものを用いてもよい。
鍔状弾性材は、その内側が支柱の断面形状と略同じ形状で開口していて、この開口部分に支柱がすっぽりと嵌り、且つ嵌った状態で支柱の外周面から外方へ適宜な幅で突出した鍔部を備えたリング状に形成することができる。例えば支柱が断面方形状であれば開口部は支柱の断面形状と略同寸法の方形状に、支柱が断面円形状であれば開口部は支柱の外径寸法と略同じ内径の円形状に形成される。
鍔部の幅は５ｍｍ〜２０ｍｍ程度に設けることができる。また、鍔状弾性材の厚みは、その形成材料の圧縮及び伸縮性能により、例えば２ｍｍ〜１０ｍｍ程度の適宜な寸法に設定することができる。鍔状弾性材を、前記エチレンプロピレンジエンゴムやブチルゴムなどを主成分とした発泡弾性材料で形成する場合、その厚みは５ｍｍ程度に設定することができる。
【００１３】
また、前記構成の支柱において、支柱の表面に固着する弾性材は、支柱の外形状と、これが差し込まれる穴部内面の大きさや形状などに応じて、支柱が穴部に差し込まれた状態で穴部内面と支柱表面との隙間を塞ぐ適宜な位置、換言すれば穴部に支柱を差し込んだときに穴部内面と支柱表面との間で隙間ができる位置に沿って固着することができる。
例えば支柱の断面が正方形で、穴部が支柱よりも若干大寸の正方形に開口したものである場合に、弾性材が固着されていない支柱を穴部に差し込んだ状態で、支柱の全周に穴部内面との隙間ができるときは支柱の四側面の全周に亘って弾性材を巻き付けて固着し、支柱の四側面の内の一面のみ又は対向二面にのみ隙間ができるときには支柱の一面又は対向二面に弾性材を固着し、或いは支柱の四側面の内の一面には穴部内面との隙間はできないが他の三面には隙間ができるときには支柱の四側面の内の三面に弾性材を固着することにより、差し込んだ支柱表面と穴部内面との隙間を確実に塞ぐことができる。
弾性材は、厚さ方向に収縮可能なゴム材や合成樹脂材などの弾性を有する適宜な材質のもの用いることができる。支柱表面と穴部内面との隙間を確実に塞ぐため、弾性材は適宜な厚み、幅及び長さに形成されたものを、支柱の表面周方向に沿って帯状に固着することが好ましい。
【００１４】
前記構成の支柱は、必要な剛性を備えつつ軽量で容易に持ち運びができるように、断面略コ字形の鋼製枠材を用いて形成されていることが好ましい。
支柱の周側部に沿って壁面パネルを平行に又は交差状に取り付けて支持させる場合の支柱は、複数の断面略コ字形の鋼製枠材を互いに長手方向を平行に揃えて接合し且つ接合部分を溶接により一体に固定して形成することができる。例えば支柱の両側で壁面パネルを平行に支持させる場合は、一対の断面略コ字形の一対の鋼製枠材を互いに背面側を向き合わせて接合し且つ接合した背面側同士を溶接により一体に固定して形成することができる。
この場合、略コ字形の枠材内部は空隙であり、そのままでは、支柱を穴部に差し込んだ状態で、穴部に浸入した水が支柱内部の空隙を通って漏れ出てしまうことから、水が枠材内部を流れないようにする手段、例えば枠材の穴部に差し込まれる側の端部であって支柱が穴部に差し込まれた状態で基礎の上面に面する位置に、枠材内部の空隙を上下に隔てる仕切り板を設けるなどの止水手段を講じる必要がある。
仕切り板は、例えば枠材内部の空隙を上下に仕切る形状の鋼製の板材を、前記所定の位置の枠材内部に水平に位置を合わせて接合し、接合部分を溶接により一体に固定して設置することができる。
枠材内部の空隙を上下に隔てる仕切り板に代えて、水が枠材内部を流れないようにする手段として、穴部に差し込まれた状態で基礎の上面に面する位置から下側の枠材の内側部分に合成樹脂材を充填してもよい。合成樹脂材は、前記基礎の上面に面する位置から下側に向けて適宜な幅で充填されていればよく、また、支柱が穴部に差し込まれる幅の分だけ充填してもよい。枠材の内部に充填される合成樹脂材としては、例えば発泡ポリエチレンなどの軽量な合成樹脂製の充填材を用いることができる。
また、支柱は、壁面パネルを安定的に支持する剛性を備えるものであれば、強化プラスチックなどの合成樹脂材やコンクリートなどの鋼材以外の材料を用いて形成することができる。
【００１５】
また、本発明の可搬式堤防は、前記構成の支柱であって基礎の上面に形成された穴部に着脱自在に設けられた複数の支柱と、基礎上に立て並べた支柱の間で支持される壁面パネルとを具備した構成を有することを特徴とする。
かかる構成の可搬式堤防は、河川敷の堤防や都市部の建築物や地下の出入口に面した部分などを基礎とし、この基礎の上面に複数形成された穴部に支柱を差し込んで基礎上に支柱を立て並べ、支柱の側部に設けられた凹溝に壁面パネルの側端部を嵌め込んで、支柱の間に壁面パネルを取り付けることにより基礎上に止水壁を形成することができる。
【図面の簡単な説明】
【００１６】
【図１】本発明の一実施形態の可搬式堤防を基礎上に設置した状態の外観図である。
【図２】図１の可搬式堤防を構成する支柱とこれが差し込まれる穴部を構成する型枠の外観図である。
【図３】図２の支柱の正面図、側面図及び背面図である。
【図４】図３中のＡ−Ａ線端面図（Ａ），Ｂ−Ｂ線断面図（Ｂ）及びＣ−Ｃ線断面図（Ｃ）である。
【図５】図２の支柱の正面における下部領域の半面を破断した拡大図である。
【図６】図２の支柱の外周に嵌めた鍔状弾性材の平面図（Ａ）と半面を破断した正面図（Ｂ）である。
【図７】図２の支柱を基礎に設けた穴部に差し込んで立てた状態を基礎と穴部のみを断面で示した図である。
【図８】支柱の他の形態を示す外観図（Ａ）と下部断面図（Ｂ）である。
【図９】従来の可搬式堤防の概略外観図である。
【図１０】従来の可搬式堤防における基礎に設けた穴部に支柱を差し込んで立てた状態の要部断面図である。
【発明を実施するための形態】
【００１７】
本発明の好適な実施の形態を、図面を参照して説明する。
図１は本発明の一実施形態の可搬式堤防を示している。
図示されるように、この可搬式堤防１は、河川敷や都市部の建造物に面した躯体面などの平坦な基礎２上に設けられた穴部３に着脱自在に取り付けられる複数の支柱４と、支柱４，４の間で支持される複数の壁面パネル５を備えてなり、予め基礎２の上面に支柱４を支持するための穴部３を一定の間隔を開けて複数形成しておき、河川の越水や下水道からの溢水が予想されるときに、支柱４を穴部３に差し込んで基礎２上に一列に立て並べ、支柱４の側部に設けられた凹溝４ａに壁面パネル５の側端部を嵌め込んで、支柱４，４の間に壁面パネル５を取り付けることにより、基礎２上に緊急用の止水壁を形成する構成のものである。
【００１８】
穴部３は、図２に示されるように、支柱３の下部が略一杯に嵌る大きさの開口部３１ａを上部に有する有底箱形の鋼製の型枠３１を、基礎２の上面と開口部３１ａの端面とが面一となるように基礎２内に埋め込んで形成されている。なお、降雨がないときに穴部３は、歩行者が穴部３に躓くなどの危険がないように、同図に示す蓋板３２が取り付けられて開口部３１ａが塞がれた状態となっている。
また、壁面パネル５は、高剛性且つ軽量な合成樹脂材などにより、支柱４，４の間に架け渡される横幅及びその側端部が支柱４の凹溝４ａに嵌合する厚みに形成された板材であり、その両側辺と下辺に沿って弾性を有する止水材５１が一体に固着して形成されている。
図１に示される可搬式堤防１は、壁面パネル５の運搬及び設置がし易いように壁面パネル５をその縦幅を小さく設定して形成し、支柱４，４の間に壁面パネル５を三段に重ねて設置することで支柱４と同高さの止水壁が形成されるように設けてあるが、図示されたものよりも壁面パネル５の縦幅を大きく設定し、支柱４，４の間に壁面パネル５を二段に重ねて設置し、或いは一枚の壁面パネル設置することにより、支柱４と同高さの止水壁が形成されるように設けてもよい。
【００１９】
図２は図１に示された本形態の支柱４の外観、図３は支柱４の正面、側面及び背面の各面をそれぞれ示しており、この支柱４は壁面パネル５の側端部が嵌合する凹溝４ａを左右両側に備えており、その下部領域を基礎２上に型枠３１を埋め込んで設けられた穴部３に差し込んで、基礎２上に直立するように形成されている。
【００２０】
詳しくは、支柱４は、断面略コ字形の一対の鋼製の枠材４１，４１を互いに長手方向を平行に揃えてそれぞれの背面側同士を接合し、且つ接合部分を溶接により一体に固定するとともに、支柱４の穴部３に差し込まれる下部領域であって両枠材４１，４１の下端部側の枠材内部の空隙に発泡ポリエチレンからなる充填材４２を充填して空隙を閉塞し、同じく支柱４の前記下部領域であって両枠材４１，４１の外面が連なる支柱４の正面側と背面側の外側面にＬ字アングル材からなる外方へ突出したストッパー片４３，４３を固着し、ストッパー片４３の下側に沿った支柱４の外側面全周に、適宜な幅及び厚みの弾性ゴムからなる弾性材４４を帯状に一体に固着し、さらに、支柱４の外周にリング形状をなす鍔状の弾性材６が嵌め込まれ、この鍔状弾性材６をストッパー片４３，４３の下面に重ねて形成してある。
【００２１】
図３及び図５に示されるように、支柱４の外面に設けたストッパー片４３，４３は、支柱４を穴部３に差し込んだときに、穴部３の周辺の基礎２の上面に係合してストッパー片４３，４３よりも下側の支柱４の下部領域を穴部３内に没入させるように設けられており、充填材４２は、前記ストッパー片４３，４３の係合により穴部３に没入する支柱４の下部領域の長さ分だけ、つまり両枠材４１，４１の下端部からストッパー片４３の取り付け位置に至る高さまで充填してある。
また、弾性材４４はストッパー片４３の直下から下方へ適宜な幅だけ支柱４の外面に重ねて固着されており、図７に示されるように、支柱４を穴部３に差し込んだ状態で、弾性材４４が穴部３の上端に面して穴部３の内面に圧接し、これにより穴部３の内面と支柱３の表面との隙間が塞がれるように設けてある。
【００２２】
鍔状弾性材６は、圧縮及び伸縮性が良好な合成樹脂ゴム発泡材料を用い、図５及び図６に示されるように、支柱４の外周面が一杯に嵌る方形の開口部６１を幅１０ｍｍ程度の鍔部６２で囲った、厚さ（ｔ）５ｍｍ程度の矩形リング形状に形成されており、支柱４の下端部からその外周面に嵌め込んでストッパー片４３，４３の下面に重ねて設置してある。
この鍔状弾性材６としては、合成樹脂或いは不織布からなるシート状又はフィルム状を心材層とし、その表裏両面に、合成樹脂ゴム発泡材料を積層した構成のものを用いることが好ましい。合成樹脂ゴム発泡材料は柔軟であるため、これ単体で鍔状弾性材６を形成した場合、施工の際に、鍔状弾性材６が捻れたり折れ重なったりすることがある。前記心材に合成樹脂ゴム発泡材料を積層した構成の鍔状弾性材６であれば、弾性とともに適度な剛性が付与されて、施工の際に鍔状弾性材６が捻れたり折れたりし難く、所定の位置にぴったりと取り付けることができて、捻れや折れによる隙間が生じることがない。
また、図２及び図３に示されるように、支柱４の枠材４１，４１の対向内面には、その上端から充填材４２の上面に亘って、鍔状弾性材６と同材質の弾性材料を用いて帯状に形成された弾性材７，７を一体に固着してある。
【００２３】
前記支柱４は、河川の越水や下水道からの溢水により可搬式堤防１に計画規模の水圧が作用した際に、壁面パネル５を凹溝４ａから脱落させずに安定的に支持可能な剛性が付与される外形寸法に設けられ、また、穴部３は、その開口部３１ａに支柱４を容易に差し込むことが可能な内形寸法及び計画規模の水圧が壁面パネル５の表面に垂直方向に作用しても支柱４が倒れない程度の深さに設けられる。
例えば厚み２．３ｍｍの鋼製枠材４１，４１を一体に接合して横幅（Ｗ）９０ｍｍ，奥行き（Ｄ）７５ｍｍの外形寸法に支柱４を設けた場合（図４（Ａ）参照）、穴部３の開口部３１ａの内寸を９５ｍｍ×８０ｍｍ程度に設ければ支柱４の差し込み操作を容易且つ確実に行え、また、穴部３の深さを２５０ｍｍ程度として支柱４が穴部３内に２００ｍｍ程度没入する深さに設ければ、壁面パネル５に水圧が作用しても支柱４が倒れる虞はない。そして、図４（Ｃ）に示されるように、前記外形寸法の支柱４の外側全周に、厚み２〜５ｍｍ程度の帯状の弾性材４４を固着しておけば、支柱４を穴部３に差し込んだときに弾性材４４が圧縮して没入するとともに穴部３の上端内面に圧接して、穴部３と支柱４との隙間が確実に塞がれることとなる。
また、支柱４が前記外形寸法に形成されている場合、鍔状弾性材６は、その開口部６１を支柱４の外形寸法（Ｗ×Ｄ）と同じ寸法に設けて形成することにより（図６（Ａ）参照）、鍔状弾性材６が支柱４の外側面に密着して嵌り込み、支柱４を穴部３に差し込んだ際に、穴部３の上端における穴部３の内面と支柱４の表面との隙間に鍔状弾性材６が嵌り込み、支柱４と穴部３の接続部位の隙間を確実に塞ぐことができる。
【００２４】
このように構成された本形態の支柱４によれば、支柱４を穴部３に差し込んで支柱４のストッパー片４３，４３を穴部３の開口上端に係合させることにより、基礎２上に支柱４を直立させることができる。
支柱４と穴部３は、支柱４を穴部３に差し込んだときに支柱４の周囲に穴部３の内面との間で適度な隙間ができる程度の大きさに形成してあるので、穴部３に支柱４を差し込む操作が容易であり、可搬式堤防１を簡易な作業で迅速に設置することが可能である。
【００２５】
また、図７に示されるように、支柱４を穴部３に差し込んだ状態で、支柱４の下部領域の外面に固着させた弾性材４４が、自身の弾性により支柱４の表面と穴部３の上端内面との間に収縮して圧入し、支柱４の外面と穴部３の内面とに密着するため、穴部３の上端における穴部３と支柱４との間の隙間Ｃは弾性材４４により完全に塞がれる。従って、可搬式堤防１を基礎２上に設置したときに、河川などからの越水や溢水が、穴部３と支柱４との隙間Ｃを通って堤防の周囲に漏れ出るようなことはない。また、穴部３内に没入した支柱４の下部領域の内部は、充填材４２を充填して枠材４１，４１内の空隙を閉塞してあるので、穴部３に浸入した水が支柱４の内部を通って漏れ出るようなこともない。
【００２６】
さらに、ストッパー片４３，４３の下側に重ねられた鍔状弾性材６が、ストッパー片４３，４３が穴部３の上端に係合するのに伴って穴部３の上端周辺に接合し、併せてストッパー片４３，４３の下面と支柱４，４間に架設される壁面パネル５の下端部で鍔状弾性材６が下方へ押圧されて圧縮し、穴部３の上端における支柱４の表面と穴部３の内面との隙間に密着して嵌り込むことで、支柱４と穴部３の接続部位の隙間が密閉され、この接続部位の止水性を高めることができる。
鍔状弾性材６は、自身の弾性により穴部３の上端の周辺形状に沿って変形して接合するため、穴部３が開けられた基礎２の上面が凸凹していたり小石などが挟まっていたりしても穴部３の上端周辺に密着して接合し、また、支柱４の穴部３との接続部位に水圧による荷重が集中して穴部３内で支柱４の位置が偏っても、支柱４の偏りに追随して鍔状弾性材６が変形して支柱３の表面と穴部３の内面との隙間に密着して嵌り込んだ状態が維持され、支柱４と穴部３の接続部位に隙間ができることはなく、接続部位からの水漏れの発生を効果的に防止することができる。
【００２７】
図８は、支柱４の他の形態を示しており、この支柱４は、支柱４と穴部３の形成寸法に応じて、支柱４の周囲四側面の内、三側面に帯状の弾性材４４を固着して穴部３と支柱４との間の隙間Ｃが塞がれるようにし、これに鍔状弾性材６を嵌め込んで構成したものである。
【００２８】
なお、図示した可搬式堤防１、支柱４及び壁面パネル５の形態は一例であり、本発明はこれに限定されず、他の適宜な形態で構成することが可能である。前記各実施形態を組み合わせた構成としてもよい。
【符号の説明】
【００２９】
１  可搬式堤防、２  基礎、３  穴部、４  支柱、４１  枠材、４２  充填材、４３  ストッパー片、４４  弾性材、６  鍔状弾性材、６１  開口部、６２  鍔部、７  弾性材
【図１】
2016023427.tif 000003
【図２】
2016023427.tif 000004
【図３】
2016023427.tif 000005
【図４】
2016023427.tif 000006
【図５】
2016023427.tif 000007
【図６】
2016023427.tif 000008
【図７】
2016023427.tif 000009
【図８】
2016023427.tif 000010
【図９】
2016023427.tif 000011
【図１０】
2016023427.tif 000012